【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】  少なくとも８００〜９２０ｎｍに最大吸収波長を有するフタロシアニン（Ｉ）と９２０ｎｍを超える領域に最大吸収波長を有するフタロシアニン（ＩＩ）とを用いることを特徴とする近赤外吸収フィルター。
【請求項２】  該フタロシアニン（Ｉ）として、８００ｎｍ以上８５０ｎｍ未満と８５０〜９２０ｎｍとに最大吸収波長を有する２種のフタロシアニンを用いることを特徴とする、請求項１記載の近赤外吸収フィルター。
【請求項３】  該フタロシアニン（ＩＩ）として、９２０ｎｍを超え９５０ｎｍ未満と９５０〜１０００ｎｍとに最大吸収波長を有する２種のフタロシアニンを用いることを特徴とする、請求項１または２記載の近赤外吸収フィルター。
【請求項４】  ９２０ｎｍを超え９５０ｎｍ未満に最大吸収波長を有するフタロシアニンは、下記群より選ばれる少なくとも一種である（なお、下記化合物は、中心金属が無金属であるものであり、該化合物の無金属を適当な金属、金属酸化物または金属ハロゲン化物で置換したものであってもよい）、請求項３に記載の近赤外吸収フィルター：
・４，５−オクタキスフェニルチオ−３，６−テトラキス（２，６−ジメチルフェノキシ）−テトラキス（Ｎ，Ｎ−ジエチルエチレンジアミノ）フタロシアニン；
・４，５−オクタキスフェニルチオ−３，６−テトラキス（２，６−ジメチルフェノキシ）−テトラキス（Ｎ，Ｎ−ジ−ｎ−ブチルエチレンジアミノ）フタロシアニン；
・４，５−オクタキスフェニルチオ−３，６−テトラキス（２，６−ジメチルフェノキシ）−テトラキス（２−ピペラジノエチルアミノ）フタロシアニン；
・４，５−オクタキスフェニルチオ−３，６−テトラキス（２，６−ジメチルフェノキシ）−テトラキス（２−ピペリジノエチルアミノ）フタロシアニン；
・４，５−オクタキスフェニルチオ−３，６−テトラキス（２，６−ジメチルフェノキシ）−テトラキス（３−エトキシプロピルアミノ）フタロシアニン；
・４，５−オクタキスフェニルチオ−３，６−テトラキス（２，６−ジメチルフェノキシ）−テトラキス（３−イソプロポキシプロピルアミノ）フタロシアニン；
・４，５−オクタキスフェニルチオ−３，６−テトラキス（２，６−ジメチルフェノキシ）−テトラキス（３−ブトキシプロピルアミノ）フタロシアニン；
・４，５−オクタキスフェニルチオ−３，６−テトラキス（２，６−ジメチルフェノキシ）−テトラキス｛３−（２−エチルヘキシルオキシ）プロピルアミノ｝フタロシアニン；
・４，５−オクタキスフェニルチオ−３，６−テトラキス（２，６−ジメチルフェノキシ）−テトラキス（ｎ−ヘキシルアミノ）フタロシアニン；
・４，５−オクタキスフェニルチオ−３，６−テトラキス（２，６−ジメチルフェノキシ）−テトラキス（２−エチルヘキシルアミノ）フタロシアニン；
・４，５−オクタキスフェニルチオ−３，６−テトラキス（２，６−ジメチルフェノキシ）−テトラキス（ｎ−オクチルアミノ）フタロシアニン；および
・４，５−オクタキスフェニルチオ−３，６−テトラキス（２，６−ジメチルフェノキシ）−テトラキス（ｎ−オクタデシルアミノ）フタロシアニン。
【請求項５】  ９５０〜１０００ｎｍに最大吸収波長を有するフタロシアニンは、下記群より選ばれる少なくとも一種である（なお、下記化合物は、中心金属が無金属であるものであり、該化合物の無金属を適当な金属、金属酸化物または金属ハロゲン化物で置換したものであってもよい）、請求項３または４に記載の近赤外吸収フィルター：
・４，５−オクタキス（４−メトキシフェニルチオ）−３，６−テトラキス（２，６−ジメチルフェノキシ）−テトラキス（２−エチルヘキシルアミノ）フタロシアニン；
・４，５−オクタキス（２−メトキシフェニルチオ）−３，６−テトラキス（２，６−ジメチルフェノキシ）−テトラキス（Ｎ，Ｎ−ジエチルエチレンジアミノ）フタロシアニン；および
・４，５−オクタキスフェニルチオ−３，６−テトラキス（２，６−ジメチルフェノキシ）−テトラキス（Ｎ，Ｎ−ジイソプロピルエチレンジアミノ）フタロシアニン。
【請求項６】  請求項１〜５のいずれかに記載の近赤外吸収フィルターを用いる、プラズマディスプレイ前面板。
【請求項７】  請求項６に記載のプラズマディスプレイ前面板を用いたプラズマディスプレイ。
【手続補正２】
【補正対象書類名】明細書
【補正対象項目名】００１８
【補正方法】変更
【補正の内容】
【００１８】
【化１】
2004309655.tif 000001
【手続補正３】
【補正対象書類名】明細書
【補正対象項目名】００４０
【補正方法】変更
【補正の内容】
【００４０】
（λｍａｘ９２２ｎｍ）
・４，５−オクタキスフェニルチオ−３，６−テトラキス（２，６−ジメチルフェノキシ）−テトラキス（３−エトキシプロピルアミノ）フタロシアニン（略称；Ｐｃ（ＰｈＳ）８｛２，６−（ＣＨ３）２ＰｈＯ｝４｛（ＣＨ３ＣＨ２Ｏ（ＣＨ２）３ＮＨ）４）（λｍａｘ９２８ｎｍ）
・４，５−オクタキスフェニルチオ−３，６−テトラキス（２，６−ジメチルフェノキシ）−テトラキス（３−イソプロポキシプロピルアミノ）フタロシアニン（略称；Ｐｃ（ＰｈＳ）８｛２，６−（ＣＨ３）２ＰｈＯ｝４｛（ＣＨ３）２ＣＨＯ（ＣＨ２）３ＮＨ｝４）（λｍａｘ９３０ｎｍ）
・４，５−オクタキスフェニルチオ−３，６−テトラキス（２，６−ジメチルフェノキシ）−テトラキス（３−ブトキシプロピルアミノ）フタロシアニン（略称；Ｐｃ（ＰｈＳ）８｛２，６−（ＣＨ３）２ＰｈＯ｝４｛ＣＨ３（ＣＨ２）３Ｏ（ＣＨ２）３ＮＨ｝４）（λｍａｘ９３０ｎｍ）
・４，５−オクタキスフェニルチオ−３，６−テトラキス（２，６−ジメチルフェノキシ）−テトラキス｛３−（２−エチルヘキシルオキシ）プロピルアミノ｝フタロシアニン（略称；Ｐｃ（ＰｈＳ）８｛２，６−（ＣＨ３）２ＰｈＯ｝４｛ＣＨ３（ＣＨ２）３ＣＨ（Ｃ２Ｈ５）ＣＨ２Ｏ（ＣＨ２）３ＮＨ｝４）（λｍａｘ９３３ｎｍ）
・４，５−オクタキスフェニルチオ−３，６−テトラキス（２，６−ジメチルフェノキシ）−テトラキス（ｎ−ヘキシルアミノ）フタロシアニン（略称；Ｐｃ（ＰｈＳ）８｛２，６−（ＣＨ３）２ＰｈＯ｝４｛ＣＨ３（ＣＨ２）５ＮＨ｝４）（λｍａｘ９３０ｎｍ）
・４，５−オクタキスフェニルチオ−３，６−テトラキス（２，６−ジメチルフェノキシ）−テトラキス（２−エチルヘキシルアミノ）フタロシアニン（略称；Ｐｃ（ＰｈＳ）８｛２，６−（ＣＨ３）２ＰｈＯ｝４｛ＣＨ３（ＣＨ２）３ＣＨ（Ｃ２Ｈ５）ＣＨ２ＮＨ｝４）（λｍａｘ９３９ｎｍ）
・４，５−オクタキスフェニルチオ−３，６−テトラキス（２，６−ジメチルフェノキシ）−テトラキス（ｎ−オクチルアミノ）フタロシアニン（略称；Ｐｃ（ＰｈＳ）８｛２，６−（ＣＨ３）２ＰｈＯ｝４｛ＣＨ３（ＣＨ２）７ＮＨ｝４）（λｍａｘ９３１ｎｍ）
・４，５−オクタキスフェニルチオ−３，６−テトラキス（２，６−ジメチルフェノキシ）−テトラキス（ｎ−オクタデシルアミノ）フタロシアニン（略称；Ｐｃ（ＰｈＳ）８｛２，６−（ＣＨ３）２ＰｈＯ｝４｛ＣＨ３（ＣＨ２）１７ＮＨ｝４）（λｍａｘ９３５ｎｍ）
また、９５０〜１０００ｎｍに最大吸収波長を有するものには、４，５−オクタキス（４−メトキシフェニルチオ）−３，６−テトラキス（２，６−ジメチルフェノキシ）−テトラキス（２−エチルヘキシルアミノ）フタロシアニン［略称；Ｐｃ｛４−（ＣＨ３Ｏ）ＰｈＳ｝８｛２，６−（ＣＨ３）２ＰｈＯ｝４｛ＣＨ３（ＣＨ２）３ＣＨ（Ｃ２Ｈ５）ＣＨ２ＮＨ｝４］（λｍａｘ９６２ｎｍ）、
・４，５−オクタキス（２−メトキシフェニルチオ）−３，６−テトラキス（２，６−ジメチルフェノキシ）−テトラキス（Ｎ，Ｎ−ジエチルエチレンジアミノ）フタロシアニン（略称；Ｐｃ｛２−（ＣＨ３Ｏ）ＰｈＳ｝８｛２，６−（ＣＨ３）２ＰｈＯ｝４｛（Ｃ２Ｈ５）２ＮＣＨ２ＣＨ２ＮＨ｝４）（λｍａｘ９５０ｎｍ）
・４，５−オクタキスフェニルチオ−３，６−テトラキス（２，６−ジメチルフェノキシ）−テトラキス（Ｎ，Ｎ−ジイソプロピルエチレンジアミノ）フタロシアニン（略称；Ｐｃ（ＰｈＳ）８｛２，６−（ＣＨ３）２ＰｈＯ｝４［｛（ＣＨ３）２ＣＨ｝２ＮＣＨ２ＣＨ２ＮＨ］４）（λｍａｘ９５２ｎｍ）がある。
【手続補正４】
【補正対象書類名】明細書
【補正対象項目名】００４８
【補正方法】変更
【補正の内容】
【００４８】
および下記式（５）で示されるフタロニトリル化合物を、金属酸化物、金属カルボニル、金属ハロゲン化物及び有機酸金属からなる群から選ばれる一種と環化反応させた後、該反応生成物をさらに式（６）ＮＨ２Ｒ４および／またはＮＨ２Ｒ５（式中、Ｒ４は、置換基を有していてもよいフェニル基、置換基を有していてもよいアラルキル基または置換基を有していてもよい炭素原子数１〜２０個のアルキル基を表わし、Ｒ５は、置換基を有していてもよい炭素原子数１〜２０個のアルキル基を表わす。）で示されるアミノ化合物（ただし少なくともＮＨＲ５を含む）と反応させて製造することができる。
【手続補正５】
【補正対象書類名】明細書
【補正対象項目名】００５０
【補正方法】変更
【補正の内容】
【００５０】
（式（２）〜（５）中、Ｚ２、Ｚ３、Ｚ６、Ｚ７、Ｚ１０、Ｚ１１、Ｚ１４、Ｚ１５は独立してＳＲ１、ＳＲ２、ＯＲ３またはハロゲン原子を表わし、かつ少なくとも１個はＳＲ２を表わし、Ｚ１、Ｚ４、Ｚ５、Ｚ８、Ｚ９、Ｚ１２、Ｚ１３、Ｚ１６は独立してＳＲ１、ＳＲ２、ＯＲ３またはハロゲン原子を表わし、かつ少なくとも１個はＳＲ２を表わしかつ少なくとも４個はＯＲ３を表わし、また複数のＲ１は独立して置換基を有していてもよいフェニル基、置換基を有していてもよいアラルキル基または置換基を有していてもよい炭素原子数１〜２０個のアルキル基を表わし、複数のＲ２は独立して炭素原子数１〜２０個のアルコキシル基を有していてもよいフェニル基であり、複数のＲ３は独立して置換基を有していてもよいフェニル基、置換基を有していてもよいアラルキル基または置換基を有していてもよい炭素原子数１〜２０個のアルキル基を表わす。）
具体的には、上記式（２）〜（５）で示すフタロニトリル化合物を、金属酸化物、金属カルボニル、金属ハロゲン化物及び有機酸金属からなる群から選ばれる一種と環化反応させることによって、α位にＮＨＲ３を持たないフタロシアニン誘導体を合成し、次に、このようにして合成されたフタロシアニン誘導体をさらに上記式（６）で示すアミノ化合物と反応させることによって、上記式（１）で示すフタロシアニンを製造することができる。